(57)【特許請求の範囲】
【請求項１】
無線充電装置であって、
第一ボディ部；
前記第一ボディ部に形成される陷沒部；
前記陷沒部の両側内部面にヒンジ締結され、前記第一ボディ部に対して回動する端末据え置き部；
前記端末据え置き部に内蔵される無線充電モジュール；
前記端末据え置き部の長さ方向に沿って前記陷沒部の下部内部面に形成される溝；
前記第一ボディ部と連結され、前記第一ボディ部に対して傾けて備えられる第二ボディ部；及び、
前記第二ボディ部に備えられるディスプレイモジュール；を備えてなり、
前記端末据え置き部が回動する際、前記端末据え置き部の上端部は前記陷沒部の外部へ上昇し、及び、前記端末据え置き部の下端部は前記陷沒部の内部へ下降してなり、及び、
使用者端末の第１の使用者端末が前記回動する端末据え置き部の上面に配置され、前記第１の使用者端末が前記溝に挿入される、無線充電装置。
【請求項２】
前記陷沒部の両端には、一対のヒンジ軸が備えられ、
前記端末据え置き部は、前記ヒンジ軸に結合するものである、請求項１に記載の無線充電装置。
【請求項３】
前記端末据え置き部の上面の高さと前記第一ボディ部の上面の高さは同一である、請求項１又は請求項２に記載の無線充電装置
【請求項４】
前記陷沒部の下部内部面には、深さによって高さが減少する溝が形成される、請求項１〜３の何れか一項に記載の無線充電装置。
【請求項５】
前記陷沒部の下部内部面には、前記第一ボディ部の上面に対して基準角度を有する溝が形成される、請求項１〜４の何れか一項に記載の無線充電装置。
【請求項６】
前記端末据え置き部が回動する際、前記溝の底面と前記端末据え置き部の上面は、平らに形成される、請求項５に記載の無線充電装置。
【請求項７】
前記端末据え置き部が回動する際、前記端末据え置き部が前記第一ボディ部に対して形成する角度は、前記第二ボディ部が前記第一ボディ部に対して形成する角度と同様である、請求項１〜６の何れか一項に記載の無線充電装置。
【請求項８】
前記無線充電モジュールは、
互いに離隔して配置される複数の平板コア；
前記複数の平板コア上に配置される第一コイル；及び、
前記第一コイルと一部が重畳するように、前記第一コイル上に配置される第二コイルを備えてなる、請求項１〜７の何れか一項に記載の無線充電装置。
【請求項９】
前記無線充電モジュールを制御する制御部を更に備えてなり、
前記制御部は、前記無線充電モジュールを介して受信された信号に応じて、前記ディスプレイモジュールを制御する、請求項１〜８の何れか一項に記載の無線充電装置。
【請求項１０】
前記制御部は、無線充電モジュールを介して要請信号を送信し、前記要請信号に対する応答として、前記使用者端末から応答信号が受信されると、前記応答信号に応じて、前記ディスプレイモジュールが予め設定されたインターフェースを出力するように制御する、請求項９に記載の無線充電装置。
【請求項１１】
前記制御部は、無線充電モジュールに含まれる各コイルに流れる電流を制御して、電磁誘導方式で前記要請信号を送信する、請求項１０に記載の無線充電装置。
【請求項１２】
前記制御部は、無線充電モジュールに含まれる複数の送信コイルのうち、使用者端末と最も近いいずれか送信コイルを識別し、前記識別された送信コイルの位置に応じて、前記ディスプレイモジュールが前記予め設定されたインターフェースを出力するように制御する、請求項１０又は１１に記載の無線充電装置。
【請求項１３】
前記制御部は、前記応答信号に含まれた使用者情報及びデバイス情報の何れかによって、前記ディスプレイモジュールが前記予め設定されたインターフェースを出力するように制御する、請求項１０〜１２の何れか一項に記載の無線充電装置。
【発明の詳細な説明】
【技術分野】
【０００１】
〔関連技術〕
本発明は、韓国特許出願第１０−２０１９−００８２３４５号（出願日：２０１９年７月８日）に基づくパリ条約４条の優先権主張を伴ったものであり、当該韓国特許出願に開示された内容に基づくものである。参考のために、当該韓国特許出願の明細書及び図面の内容は本願明細書の一部に包摂されるものである。
本発明は、使用者端末が据え置かれる部分のチルト機能を用いて、１つ以上の使用者端末を効率良く充電することができる無線充電装置に関する。
【背景技術】
【０００２】
無線充電方式は、無接点電力伝送装置と無接点電力受信装置によって行われ、両装置間の電磁誘導現象によって無接点電力伝送装置から無接点電力受信装置へ電力が移動する方式である。
【０００３】
かかる方式を利用するために携帯電話、タブレット、乗り物キー、電子タバコ等のように、バッテリーの内蔵された使用者端末には無接点電力受信装置が内蔵される。これにより、使用者端末のバッテリーは、無接点電力伝送装置から伝送された電力によって充電される。
【０００４】
ただし、従来の無線充電方式によれば、１つの無接点電力伝送装置が１つの使用者端末のみに電力を供給することができ、無接点電力伝送装置と使用者端末との間の磁気結合（ｍａｇｎｅｔｉｃ  ｃｏｕｐｌｉｎｇ）のために使用者端末は、無接点電力伝送装置上の特定位置に置かれなければならないため、無線充電方式を利用するものの、充電可能な物理的範囲が非常に狭いという短所がある。
【０００５】
かかる問題点を解決するために、先行技術（韓国登録特許１０−０９７６１６３号）のように、無線充電方式における充電可能な範囲を拡張させるための技術が提案されている。
【０００６】
先行技術は、無接点電力受信装置が無接点電力伝送装置の上で一部移動するとしても、電力を安定して供給するために、無接点電力伝送装置に備えられる１次側コアを異なる２つのコアで構成し、両コアを互いに一部が重畳するように複層構造から形成することを特徴とする。
【０００７】
ただし、前述した先行技術によれば、コアの重畳による磁場干渉が発生し得るだけでなく、１つの無接点電力伝送装置の充電可能な範囲が一部拡張するとしても、複数の無接点電力受信装置に電力を同時に供給することができない限界がある。
【発明の概要】
【発明が解決しようとする課題】
【０００８】
本発明は、使用者端末が据え置かれる部分のチルト機能によって１つ以上の使用者端末を据え置き、据え置かれた使用者端末を無線充電することができる無線充電装置を提供することを目的とする。
【０００９】
また、本発明は、チルト機能によって滑る使用者端末が溝に挿入されるようにすることで、無線充電動作が行われる領域上で、使用者端末の位置を調節することができる無線充電装置を提供することを目的とする。
【００１０】
また、本発明は、複数の使用者端末に対する同時充電動作を行う無線充電装置を提供することを目的とする。
【００１１】
また、本発明は、使用者端末から受信された信号に対応するインターフェースを出力する無線充電装置を提供することを目的とする。
【００１２】
本発明の目的は、以上に言及した目的に制限されないし、言及していない本発明の他の目的及び長所は、下記の説明によって理解されるし、本発明の実施形態によってより明らかに理解される。また、本発明の目的及び長所は、特許請求の範囲に示した手段及びその組み合わせによって実現できることが分かりやすい。
【課題を解決するための手段】
【００１３】
本発明は、ボディ部に形成された陷沒部に端末据え置き部をヒンジ結合することで、使用者端末が据え置かれる部分のチルト機能を具現することができ、端末据え置き部に無線充電モジュールを内蔵することで、据え置かれた使用者端末を無線充電することができる。
【００１４】
また、本発明は、端末据え置き部がヒンジ結合した陷沒部の下部内部面に溝を形成することで、チルト機能によって滑る使用者端末が溝に挿入されるようにすることができ、使用者端末の面積及び厚さに応じて溝の深さ及び高さを設定することにより、無線充電動作が行われる領域上で使用者端末の位置を調節することができる。
【００１５】
また、本発明は、離隔して配置される複数の平板コアと、複数の平板コア上に重畳して配置される複数の送信コイルで構成される無線充電モジュールを端末据え置き部内に内蔵させることで、複数の使用者端末に対する同時充電動作を行うことができる。
【００１６】
また、本発明は、無線充電モジュールと使用者端末との間で発生する電磁誘導現象によって使用者端末から応答信号を受信し、ディスプレイモジュールが応答信号に予め設定されたインターフェースを出力させることで、使用者端末から受信された信号に対応するインターフェースを出力することができる。
〔本発明の一の態様〕
以下、本発明の一の態様を示す。
〔１〕  無線充電装置であって、
第一ボディ部；
前記第一ボディ部に形成される陷沒部；
前記陷沒部の両側内部面にヒンジ締結され、前記第一ボディ部に対して回動する端末据え置き部；
前記端末据え置き部に内蔵される無線充電モジュール；
前記第一ボディ部と連結され、前記第一ボディ部に対して傾けて備えられる第二ボディ部；及び、
前記第二ボディ部に備えられるディスプレイモジュールを備えてなる、無線充電装置。
〔２〕  前記陷沒部の両端には、一対のヒンジ軸が備えられ、
前記端末据え置き部は、前記ヒンジ軸に結合するものである、〔１〕に記載の無線充電装置。
〔３〕  前記端末据え置き部の上面の高さと前記第一ボディ部の上面の高さは同一である、〔１〕又は〔２〕に記載の無線充電装置。
〔４〕  前記端末据え置き部が回動する際、前記端末据え置き部の上端部は、前記陷沒部の外部へ上昇し、前記端末据え置き部の下端部は、前記陷沒部の内部へ下降する、〔１〕〜〔３〕の何れか一項に記載の無線充電装置。
〔５〕  前記陷沒部の下部内部面には、前記端末据え置き部の長さ方向に沿って溝が形成される、〔１〕〜〔４〕の何れか一項に記載の無線充電装置。
〔６〕  前記陷沒部の下部内部面には、深さによって高さが減少する溝が形成される、〔１〕〜〔５〕の何れか一項に記載の無線充電装置。
〔７〕  前記陷沒部の下部内部面には、前記第一ボディ部の上面に対して基準角度を有する溝が形成される、〔１〕〜〔６〕の何れか一項に記載の無線充電装置。
〔８〕  前記端末据え置き部が回動する際、前記溝の底面と前記端末据え置き部の上面は、平らに形成される、〔７〕に記載の無線充電装置。
〔９〕  前記端末据え置き部が回動する際、前記端末据え置き部が前記第一ボディ部に対して形成する角度は、前記第二ボディ部が前記第一ボディ部に対して形成する角度と同様である、〔１〕〜〔８〕の何れか一項に記載の無線充電装置。
〔１０〕  前記無線充電モジュールは、
互いに離隔して配置される複数の平板コア；
前記複数の平板コア上に配置される第一コイル；及び、
前記第一コイルと一部が重畳するように、前記第一コイル上に配置される第二コイルを備えてなる、〔１〕〜〔９〕の何れか一項に記載の無線充電装置。
〔１１〕  前記無線充電モジュールを制御する制御部を更に備えてなり、
前記制御部は、前記無線充電モジュールを介して受信された信号に応じて、前記ディスプレイモジュールを制御する、〔１〕〜〔１０〕の何れか一項に記載の無線充電装置。
〔１２〕  前記制御部は、無線充電モジュールを介して要請信号を送信し、前記要請信号に対する応答として、前記使用者端末から応答信号が受信されると、前記応答信号に応じて、前記ディスプレイモジュールが予め設定されたインターフェースを出力するように制御する、〔１１〕に記載の無線充電装置。
〔１３〕  前記制御部は、無線充電モジュールに含まれる各コイルに流れる電流を制御して、電磁誘導方式で前記要請信号を送信する、〔１２〕に記載の無線充電装置。
〔１４〕  前記制御部は、無線充電モジュールに含まれる複数の送信コイルのうち、使用者端末と最も近いいずれか送信コイルを識別し、前記識別された送信コイルの位置に応じて、前記ディスプレイモジュールが前記予め設定されたインターフェースを出力するように制御する、〔１２〕又は〔１３〕に記載の無線充電装置。
〔１５〕  前記制御部は、前記応答信号に含まれた使用者情報及びデバイス情報の何れかによって、前記ディスプレイモジュールが前記予め設定されたインターフェースを出力するように制御する、〔１２〕〜〔１４〕の何れか一項に記載の無線充電装置。
【発明の効果】
【００１７】
本発明は、チルト機能によって据え置かれた１つ以上の使用者端末を無線充電することで、様々な据え置き型の無線充電が可能であり、これにより、無線充電の便宜性が向上する長所がある。
【００１８】
また、本発明は、無線充電動作が行われる領域上で、使用者端末の位置を設定することにより、使用者端末内の受信コイルの位置を充電可能な領域内に位置させることができ、充電効率性が向上する長所がある。
【００１９】
また、本発明は、複数の使用者端末に対する同時充電動作を行うことにより、端末充電の迅速性が向上する長所がある。
【００２０】
また、本発明は、使用者端末から受信された信号に対応するインターフェースを出力することにより、無線充電動作に対するＵＸ（Ｕｓｅｒ  Ｅｘｐｅｒｉｅｎｃｅ）が改善する長所がある。
【００２１】
上述した効果および本発明の具体的な効果は、以下の発明を実施するための具体的な事項を説明しながら共に記述する。
【図面の簡単な説明】
【００２２】
【図１】本発明の一実施形態による無線充電装置が複数の使用者端末を充電する様子を示した図面。
【図２】図１に示した第１ボディ部とここに形成した陷沒部を示した図面。
【図３】図１に示した端末据え置き部に１つの使用者端末が据え置かれた様子を示した図面。
【図４】図３に示した端末据え置き部が回動することにより、２つの使用者端末が据え置かれた様子を示した図面。
【図５】図２に示した陷沒部に形成した溝を説明するための図面。
【図６】図２に示した陷沒部に形成した溝を説明するための図面。
【図７】端末据え置き部に内蔵される無線充電モジュールの一例を示した図面。
【図８】無線充電モジュールの他の例を示した図面。
【図９】制御部の制御流れを説明するための図面。
【図１０】複数の使用者端末が無線充電モジュール上に位置したとき、各使用者端末に電力を供給する方法を説明するための図面。
【図１１】ディスプレイモジュールを介して出力される基本インターフェースを示した図面。
【図１２】使用者端末が無線充電モジュールに近づいたとき、ディスプレイモジュールを介して出力される端末感知インターフェースを示した図面。
【図１３】使用者端末が端末据え置き部に据え置かれたとき、ディスプレイモジュールを介して出力される使用者及びデバイス感知インターフェースを示した図面。
【図１４】使用者端末が端末据え置き部に据え置かれたとき、ディスプレイモジュールを介して出力される使用者及びデバイス感知インターフェースを示した図面。
【発明を実施するための形態】
【００２３】
前述した目的、特徴及び長所は、添付の図面を参照して詳細に後述され、これによって本発明が属する技術分野における通常の知識を有する者が本発明の技術的思想を容易に実施することができる。本発明を説明するにおいて、本発明に係る公知技術に対する具体的な説明が本発明の要旨を曖昧にすると判断される場合には詳細な説明を省略する。以下では、添付の図面を参照して、本発明による好ましい実施形態を詳説する。図面における同じ参照符号は、同一又は類似の構成要素を示すことに使われる。
【００２４】
以下における構成要素の「上部（又は下部）」又は構成要素の「上（又は下）」に任意の構成が配置されるということは、任意の構成が上記構成要素の上面（又は下面）に接して配置されるだけでなく、上記構成要素と上記構成要素の上に（又は下に）配置された任意の構成の間に他の構成が介在し得ることを意味する。
【００２５】
また、ある構成要素が他の構成要素に「連結」、「結合」又は「接続」されると記載された場合、上記構成要素は、互いに直接に連結されるか又は接続され得るが、各構成要素の間に他の構成要素が「介在」するか、各構成要素が他の構成要素を介して「連結」、「結合」又は「接続」され得ると理解しなければならない。
【００２６】
本発明は、使用者端末が据え置かれる部分のチルト機能を用いて、１つ以上の使用者端末を効率良く充電することができる無線充電装置に関する。
【００２７】
以下では、図１〜図１４を参照して、本発明の一実施形態による無線充電装置を具体的に説明する。
【００２８】
図１は、本発明の一実施形態による無線充電装置が複数の使用者端末を充電する様子を示した図面である。
【００２９】
図２は、図１に示した第一ボディ部とここに形成した陷沒部を示した図面である。
【００３０】
図３は、図１に示した端末据え置き部に１つの使用者端末が据え置かれた様子を示した図面であり、図４は、図３に示した端末据え置き部が回動することにより、２つの使用者端末が据え置かれた様子を示した図面である。
【００３１】
図５及び図６は、図２に示した陷沒部に形成した溝を説明するための図面である。
【００３２】
図７は、端末据え置き部に内蔵される無線充電モジュールの一例を示した図面であり、図８は、無線充電モジュールの他の例を示した図面である。
【００３３】
図９は、制御部の制御流れを説明するための図面であり、図１０は、複数の使用者端末が無線充電モジュール上に位置したとき、各使用者端末に電力を供給する方法を説明するための図面である。
【００３４】
図１１は、ディスプレイモジュールを介して出力される基本インターフェースを示した図面であり、図１２は、使用者端末が無線充電モジュールに近づいたとき、ディスプレイモジュールを介して出力される端末感知インターフェースを示した図面である。また、図１３及び図１４は、使用者端末が端末据え置き部に据え置かれたとき、ディスプレイモジュールを介して出力される使用者及びデバイス感知インターフェースを示した図面である。
【００３５】
図１を参照すれば、本発明の一実施形態による無線充電装置１は、第一ボディ部１０ａ、第二ボディ部１０ｂ、端末据え置き部３０、ディスプレイモジュール５０を含んでいてもよい。図１に示した無線充電装置１は、一実施形態によるものであり、その構成要素が図１に示した実施形態に限定されるものではなく、必要によって一部の構成要素が付加、変更又は削除されてもよい。
【００３６】
使用者端末２は、端末据え置き部３０に据え置かれ、無線充電装置１から電力を供給されてもよいが、これについては図７〜図１０を参照して後述する。
【００３７】
一方、以下では、説明の便宜のため図１に示したｘ軸及び−ｘ軸方向を前方及び後方、ｙ軸及び−ｙ軸方向を左側方及び右側方、ｚ軸及び−ｚ軸方向を上方及び下方と表す。
【００３８】
第一ボディ部１０ａは、無線充電動作が要求される使用者端末２が位置する所であって、地面と平行に配置されることが好ましい。図１及び図２における第一ボディ部１０ａは、直方体状を有するものと示されているが、第一ボディ部１０ａは、審美的な側面で円柱、楕円柱等の多様な形状に変形されてもよい。
【００３９】
第二ボディ部１０ｂは、第一ボディ部１０ａと連結され、第一ボディ部１０ａに対して傾けて備えられてもよい。より具体的には、第二ボディ部１０ｂは、第一ボディ部１０ａに対して前方に傾けて備えられてもよい。
【００４０】
一例において、図１に示したように、第二ボディ部１０ｂは、第一ボディ部１０ａと一体に形成されてもよい。この場合、第二ボディ部１０ｂが第一ボディ部１０ａに対して形成する角度は、調節されなくてもよいが、第一ボディ部１０ａと第二ボディ部１０ｂとの間の連結部材が存在しないため、審美性が向上し得る。
【００４１】
他の例において、第二ボディ部１０ｂは、第一ボディ部１０ａの一角にヒンジ締結され、第一ボディ部１０ａに対して傾けて備えられてもよい。この場合、第二ボディ部１０ｂが第一ボディ部１０ａに対して形成する角度は、ヒンジ軸に対する第二ボディ部１０ｂの回動度合いによって調節されてもよい。
【００４２】
さらに他の例において、第二ボディ部１０ｂは、第一ボディ部１０ａの一角に傾いた状態に結合してもよい。より具体的には、第一ボディ部１０ａの一側面は、地面と垂直であってもよく、第二ボディ部１０ｂの一側面は、傾いてもよい。このとき、第一ボディ部１０ａの一側面と傾いた第二ボディ部１０ｂの一側面が任意の結合部材を介して結合することにより、第二ボディ部１０ｂは、第一ボディ部１０ａに対して傾けて備えられてもよい。
【００４３】
ディスプレイモジュール５０は、第二ボディ部１０ｂに備えられてもよい。
【００４４】
より具体的には、ディスプレイモジュール５０は、第二ボディ部１０ｂに内蔵され、前方に傾いた画面を出力することができる。審美的な側面を考慮して、画面が出力されるディスプレイモジュール５０の一面は、第二ボディ部１０ｂの前面と平らに形成されてもよい。
【００４５】
ディスプレイモジュール５０は、多様なインターフェースを出力することができるが、これについては、図１１〜図１４を参照して後述する。
【００４６】
図２を参照すれば、第一ボディ部１０ａには陷沒部２０が形成されてもよい。陷沒部２０には、後述する端末据え置き部３０が配置されるため、陷沒部２０の形状は、端末据え置き部３０の形状と対応し得る。例えば、図１に示したように、端末据え置き部３０が直方体状である場合、陷沒部２０も直方体状を有してもよい。
【００４７】
端末据え置き部３０は、陷沒部２０の両側内部面にヒンジ（ｈｉｎｇｅ）締結されてもよい。
【００４８】
このため、陷沒部２０の両側内部面には、ヒンジ締結のため締結部材が備えられてもよく、端末据え置き部３０は、締結部材に結合することにより、陷沒部２０の両側内部面にヒンジ締結されてもよい。
【００４９】
一例において、図２に示したように、陷沒部２０の両側内部面には、一対のヒンジ軸が備えられてもよく、端末据え置き部３０は、陷沒部２０の両側内部面に備えられたヒンジ軸に締結されてもよい。より具体的には、陷沒部２０の両側内部面には、一対の孔（ｈｏｌｅ、２１）がヒンジ軸として備えられて、端末据え置き部３０の両側面には、一対の突起（未図示）が備えられてもよい。このとき、端末据え置き部３０の両側面に備えられた一対の突起は、陷沒部２０の両側内部面に備えられた一対の孔２１に挿入されることで、端末据え置き部３０は、陷沒部２０にヒンジ締結されてもよい。
【００５０】
これと逆に、陷沒部２０の両側内部面の一対の突起がヒンジ軸として備えられてもよく、端末据え置き部３０の両側面には、一対の孔２１が備えられてもよい。このとき、陷沒部２０の両側内部面に備えられた一対の突起は、端末据え置き部３０の両側面に備えられた一対の孔２１に挿入されることで、端末据え置き部３０は、陷沒部２０にヒンジ締結されてもよい。
【００５１】
この他、端末据え置き部３０は、第一ボディ部１０ａに対して回動することができる任意の結合構造を介して陷沒部２０の両側内部面にヒンジ締結されてもよい。
【００５２】
前述したように、陷沒部２０は、第一ボディ部１０ａに形成され、端末据え置き部３０は、陷沒部２０の両側内部面にヒンジ締結されるため、端末据え置き部３０は、第一ボディ部１０ａに対して選択的に回動することができる。言い換えれば、端末据え置き部３０は、陷沒部２０の両側内部面にヒンジ締結した状態で、回動しないか回動し得る。
【００５３】
より具体的には、端末据え置き部３０は、基本的に回動しない状態（以下、基本状態）で維持してから、外部の入力（例えば、使用者の入力）によって回動した状態（以下、チルト（ｔｉｌｔ）状態）に転換されてもよい。
【００５４】
基本状態を示した図３を参照すれば、基本状態で、端末据え置き部３０の上面と第一ボディ部１０ａの上面の高さは、同様であってもよい。より具体的には、基本状態で、地面から端末据え置き部３０の上面までの高さは、地面から第一ボディ部１０ａの上面までの高さと同様であってもよい。
【００５５】
基本状態で、端末据え置き部３０が第一ボディ部１０ａの上方に突き出ないため、図３に示したように、装置の審美性が向上し得る。のみならず、端末据え置き部３０が第一ボディ部１０ａの下方に陷沒しないため、使用者が端末据え置き部３０に位置した使用者端末２を回収する際の便宜性が向上し得る。
【００５６】
一方、基本状態で、端末据え置き部３０に据え置かれた使用者端末２の左右移動を防ぐために、端末据え置き部３０の上面は、滑り止め物質からなってもよい。これと違って、滑り止め物質からなるパッドが端末据え置き部３０の上面に付着してもよい。
【００５７】
滑り止め物質は、後述する電磁誘導方式の充電動作に影響を与えないように、非磁性体のうち摩擦係数が高い物質であってもよく、例えば、ゴム（ｒｕｂｂｅｒ）、シリコーン（ｓｉｌｉｃｏｎ）等であってもよい。チルト状態を示した図４を参照すれば、端末据え置き部３０が回動する際の端末据え置き部３０の上端部３０ａは、陷沒部２０の外部へ上昇し、端末据え置き部の下端部３０ｂは、陷沒部２０の内部へ下降してもよい。
【００５８】
ここで、端末据え置き部３０は、第一ボディ部１０ａに備えられたボタン１１に印加される外部の圧力（例えば、ボタン１１に対する使用者の押し動作）に応じてチルト状態に転換されてもよい。また、端末据え置き部３０は、端末据え置き部３０の上面に印加される外部の圧力によってチルト状態に転換されてもよい。このような構造的動作のため、任意の物理的要素がさらに備えられることは当然である。
【００５９】
一方、基本状態とチルト状態の間の状態転換において、端末据え置き部３０の急激な動きを防ぐために、端末据え置き部３０と陷沒部２０は、任意の弾性部材、例えば、ゴムバンド（ｒｕｂｂｅｒ ｂａｎｄ）、スプリング等によって連結されてもよい。弾性部材の連結構造のため任意の物理的要素がさらに備えられることも当然である。
【００６０】
端末据え置き部３０は、回動軸を基準として上端部３０ａと下端部３０ｂに区分されてもよい。例えば、端末据え置き部３０が図２に示した一対の孔２１にヒンジ締結される場合、端末据え置き部３０の上端部３０ａは、一対の孔２１の後方に位置し、端末据え置き部３０の下端部３０ｂは、一対の孔２１の前方に位置してもよい。
【００６１】
端末据え置き部３０は、その上端部３０ａが陷沒部２０の外部へ上昇し、その下端部３０ｂが陷沒部２０の内部へ下降するように回動することができる。言い換えれば、端末据え置き部３０の上端部３０ａは、回動軸を基準として上昇することで、陷沒部２０の外部へ突き出てもよく、下端部３０ｂは、回動軸を基準として下降することで、陷沒部２０の内部に陷沒されてもよい。これにより、端末据え置き部３０は、第一ボディ部１０ａに対して一定角度を形成することができる。
【００６２】
端末据え置き部３０の下端部３０ｂが陷沒部２０の内部へ下降する構造を有することで、チルト状態で、端末据え置き部３０に据え置かれた使用者端末２は、端末据え置き部３０の上部面に寄った様子で滑り、陷沒部２０の下部内部面に固定し得る。これにより、図４に示したように、端末据え置き部３０には、複数の使用者端末２を据え置くことができる。
【００６３】
一方、端末据え置き部３０が第一ボディ部１０ａに対して形成する角度は、第二ボディ部１０ｂが第一ボディ部１０ａに対して形成する角度と同様であってもよい。
【００６４】
これにより、チルト状態で、端末据え置き部３０に据え置かれた使用者端末２と、第二ボディ部１０ｂに内蔵されたディスプレイモジュール５０は、平行に配置されてもよい。かかる配置により、使用者端末２から出力される画面とディスプレイモジュール５０から出力される画面に対する視認性が向上する効果がある。
【００６５】
上述したように、本発明は、チルト機能によって多様な据え置き型を提供することができ、後述するように、多様な据え置き型の無線充電が可能であり、これにより、無線充電の便宜性が向上する長所がある。
【００６６】
陷沒部２０の下部内部面には、端末据え置き部３０の長さ方向に沿って溝２１が形成されてもよい。ここで長さ方向は、図１に示したｙ軸方向であってもよい。
図５を参照すれば、陷沒部２０の下部内部面には、端末据え置き部３０の長さ方向に沿って前方に陷沒した溝２１が形成されてもよい。このとき、溝２１の長さは、端末据え置き部３０の長さと同様であってもよい。
【００６７】
一方、溝２１の高さは、使用者端末２の厚さを考慮して予め設定されてもよく、溝２１の深みは、使用者端末２の面積を考慮して予め設定されてもよい。より具体的には、後述する無線充電動作のため、端末据え置き部３０に内蔵された無線充電モジュール４０の送信コイルと使用者端末２に内蔵された受信コイルは、その中心が互いに向かい合うように配置されなければならない。
【００６８】
無線充電モジュール４０を含む端末据え置き部３０は、固定して取り付けられるため、使用者端末２に内蔵された受信コイルが無線充電モジュール４０に含まれた送信コイルと向かい合うために、使用者端末２は、溝２１に挿入されなければならない。
【００６９】
さらに図４を参照すれば、相対的に面積が広くて薄い第１の使用者端末２ａは、その厚さが溝２１の高さより小さいため、溝２１に挿入されてもよい。一方、相対的に面積が狭くて厚い第２の使用者端末２ｂは、その厚さが溝２１の高さより大きいため、溝２１に挿入されなければならない。
【００７０】
第１の使用者端末２ａが溝２１に挿入されると、第１の使用者端末２ａに内蔵された受信コイルの位置は、溝２１の深みによって、溝２１が形成されない場合より前方に移動することができ、前方に移動した受信コイルは、無線充電モジュール４０に含まれた送信コイルと向かい合うことができる。一方、第２の使用者端末２ｂは、溝２１に挿入されないため、第２の使用者端末２ｂに内蔵された受信コイルの位置が前方に移動することができず、前方に移動されなかった受信コイルは、無線充電モジュール４０に含まれた送信コイルと向かい合うことができる。
【００７１】
このように、溝２１の高さは、相対的に厚さの薄い使用者端末２のみが選択的に挿入するように予め設定されてもよく、溝２１の深みは、相対的に面積の広い使用者端末２が挿入される深みによって予め設定されてもよい。
【００７２】
一例において、溝２１の高さは、深みによって減少し得る。
【００７３】
図４を参照して説明した例示のように、使用者端末２内の受信コイルが無線充電モジュール４０内の送信コイルと向かい合うために、使用者端末２が移動しなければならない距離は、使用者端末２の面積が広いほど長い。
【００７４】
一方、一般に面積の広い使用者端末２であればあるほど、その厚さが薄くなり得る。これにより、使用者端末２の面積が広いほど、厚さが薄いほど、使用者端末２が溝２１に深く挿入されるように、溝２１は、深みによって高さが減少するように形成されてもよい。
【００７５】
かかる構造によって、溝２１に挿入される両使用者端末２のうち、相対的に面積がより広くてより薄いいずれか使用者端末２は、溝２１に深く挿入されることにより、使用者端末２内の受信コイルが無線充電モジュール４０内の送信コイルと向かい合うことができる。一方、相対的にさらに面積が狭くてさらに厚い他のいずれか使用者端末２は、溝２１に浅く挿入されることで、使用者端末２内の受信コイルが無線充電モジュール４０内の送信コイルと向かい合うことができる。
【００７６】
溝２１は、第一ボディ部１０ａの上面に対して基準角度（θ１）を有してもよい。
【００７７】
図５に示したＡ−Ａ’の断面を示した図６を参照すれば、溝２１は、第一ボディ部１０ａの上面に対して基準角度（θ１）を形成してもよい。基準角度（θ１）は、設計上の必要によって任意の角度に設定されてもよい。
【００７８】
一例において、基準角度（θ１）は、端末据え置き部３０が回動する際、溝２１の底面２１ａと端末据え置き部３０の上面が平らに形成するように設定されてもよい。言い換えれば、チルト状態で、溝２１の内部底面２１ａと端末据え置き部３０の上面は、一直線上に配置されてもよい。
【００７９】
このため、図６に示したように、溝２１が第一ボディ部１０ａの上面に対して形成する基準角度（θ１）と、チルト状態で、端末据え置き部３０が第一ボディ部１０ａに対して形成する角度（θ２）は、同様であってもよい。
【００８０】
かかる構造によって、チルト状態で、使用者端末２は、曲げモーメント（ｂｅｎｄｉｎｇ  ｍｏｍｅｎｔ）なしに溝２１に挿入されてもよい。
【００８１】
上述したように、本発明は、溝２１を介して無線充電動作が行われる領域上で、使用者端末２の位置を設定することにより、使用者端末２内の受信コイルの位置を充電可能な領域内（送信コイルが配置された領域）に位置させることができ、充電効率性が向上する長所がある。
【００８２】
以下では、図７〜図１０を参照して、無線充電モジュール４０の構造と、端末据え置き部３０に据え置かれた使用者端末２が無線充電モジュール４０から電力を供給される過程について具体的に説明する。
【００８３】
図７を参照すれば、前述した端末据え置き部３０には無線充電モジュール４０が内蔵されてもよい。
【００８４】
無線充電モジュール４０には、少なくとも１つの送信コイルが備えられてもよい。送信コイルに電流が流れると、電磁誘導現象によって送信コイルに磁場が発生し得て、このような磁場は、使用者端末２内の受信コイルに電流を誘導して、使用者端末２内のバッテリーを充電することができる。
【００８５】
ただし、本発明の無線充電モジュール４０は、複数の使用者端末２に電力を同時に供給するために、複数の平板コア４１及び送信コイルを備えた基板４０ａを含んでいてもよい。より具体的には、無線充電モジュール４０は、基板４０ａ上で、互いに離隔して配置される複数の平板コア４１、複数の平板コア４１上に配置される第一コイル４２、及び第一コイルと一部が重畳するように、第一コイル上に配置される第二コイル４３、とを含んでいてもよい。
【００８６】
また、本発明の無線充電モジュール４０は、送信コイルで発生する電気的なノイズを取り除いて、使用者端末２に安定して電力を供給するために、送信コイルの上部に配置されるＥＭＩフィルター４０ｂをさらに含んでいてもよい。
【００８７】
一方、本発明における第一コイル４２及び第二コイル４３は、いずれも送信コイルと統称されてもよいが、説明の便宜のため区分して命名されてもよい。
【００８８】
平板コア４１は、高い透磁率を有し、割れやすくない成分からなってもよい。より具体的には、平板コア４１は、コバルト（Ｃｏ）、鉄（Ｆｅ）、ニッケル（Ｎｉ）、ホウ素（Ｂ）、珪素（Ｓｉ）等の非晶質金属材料及びこれらの組み合わせからなってもよく、シート又は薄膜状を有してもよい。例えば、本発明における平板コア４１は、フェライト（ｆｅｒｒｉｔｅ）コアであってもよい。
【００８９】
これにより、平板コア４１は、後述する送信コイルで生成される磁場の磁束密度を高くし、磁場の磁路を効率良く形成することができる。
【００９０】
平板コア４１は、複数備えられて、基板上に互いに離隔して配置されてもよい。より具体的には、複数の平板コア４１は、基板上で平面方向（ｘ軸及び／又はｙ軸）方向に一定間隔離隔して配置されてもよい。
【００９１】
送信コイルは、平板コア４１の上部に備えられる平板状コイルであり、時計方向又は反時計方向に巻線されてもよい。かかるコイルは、円形、楕円形又は四角形の形状を有してもよい。コイルの両端部には連結端子が備えられてもよく、連結端子は、後述する制御部６０と電気的に連結されてもよい。
【００９２】
送信コイルは、その配置によって第一コイル４２及び第二コイル４３に区分され得る。より具体的には、第一コイル４２は、平板コア４１上に配置されるコイルに定義されて、第二コイル４３は、他のコイル上に配置されるコイルに定義されてもよい。これにより、第一コイル４２と第二コイル４３は、単一のコイルであってもよく、複数のコイルを含んでいてもよい。
【００９３】
さらに図７を参照して、先に３コイルに基づく無線充電モジュール４０の構造を説明する。
【００９４】
図７を参照すれば、端末据え置き部３０は、内部空間を形成する上部ケース３０ｕ及び下部ケース３０ｄで構成されてもよく、内部空間には無線充電モジュール４０が備えられてもよい。
【００９５】
第一コイル４２は、複数の平板コア４１上に互いに離隔して配置される２つのコイルで構成されてもよい。例えば、複数の第一コイル４２は、図７に示したように、各平板コア４１が形成する領域内で、平板コア４１上に配置されることで、互いに離隔してもよい。言い換えれば、第一コイル４２の広さは、平板コア４１の広さより小さくてもよく、上面視の第一コイル４２は、平板コア４１が形成する領域内に配置されてもよい。
【００９６】
一方、第二コイル４３は、平板コア４１上に複数配置されたあらゆる第一コイル４２と一部が重畳するように、第一コイル４２上に配置されてもよい。言い換えれば、図７に示したように、第二コイル４３は、一側の平板コア４１上に配置された第一コイル４２と一部が重畳するとともに、他側の平板コア４１上に配置された第一コイル４２とも一部が重畳するように配置されてもよい。
【００９７】
次に、図８を参照して、９コイルに基づく無線充電モジュール４０の構造を説明する。図８では、図７に示したものとは違って、端末据え置き部３０と基板４０ａを省略して示した。
【００９８】
前述したように、第二コイル４３は、他のコイル上に配置されるコイルに定義されてもよい。ただし、以下では、説明の便宜のため第二コイル４３は、第一コイル４２上に配置されるコイルに、第三コイル４４は、第二コイル４３上に配置されるコイルに、第四コイル４５は、第三コイル４４上に配置されるコイルに説明する。
【００９９】
図８を参照すれば、互いに離隔して配置される２つの平板コア４１上には、計９個のコイルが配置されてもよい。２つの第一コイル４２は、各平板コア４１が形成する領域内で、各平板コア４１上に配置されてもよく、３つの第二コイル４３は、第一コイル４２と一部が重畳するように、第一コイル４２上に配置されてもよい。
【０１００】
より具体的に説明すれば、３つの第二コイル４３のうち左側の第二コイル４３は、左側の第一コイル４２と一部が重畳するように、第一コイル４２上に配置されてもよく、中央の第二コイル４３は、２つの第一コイル４２とそれぞれ重畳するように、第一コイル４２上に配置されてもよく、右側の第二コイル４３は、右側の第一コイル４２と一部が重畳するように、第一コイル４２上に配置されてもよい。
【０１０１】
また、２つの第三コイル４４は、第二コイル４３と一部が重畳するように、第二コイル４３上に配置されてもよい。より具体的には、２つの第三コイル４４のうち左側の第三コイル４４は、左側及び中央の第二コイル４３と一部が重畳するように、第二コイル４３上に配置されてもよく、右側の第三コイル４４は、中央及び右側の第二コイル４３と一部が重畳するように、第二コイル４３上に配置されてもよい。
【０１０２】
最後に、２つの第四コイル４５は、第三コイル４４と一部が重畳するように、第三コイル４４上に配置されてもよい。より具体的には、２つの第四コイル４５のうち左側の第四コイル４５は、左側の第三コイル４４と一部が重畳するように、第三コイル４４上に配置されてもよく、右側の第四コイル４５は、左側及び右側の第三コイル４４と一部が重畳するように、第三コイル４４上に配置されてもよい。
【０１０３】
このように、第二コイル４３は第一コイル４２上に、第三コイル４４は第二コイル４３上に、第四コイル４５は第三コイル４４上に配置されるため、平板コア４１の上部における第一〜第四コイル４５が形成される高さは、互いに異なってもよい。
【０１０４】
これを防ぐため複数の平板コア４１上には、各コイル間の高さ段差を補償するため段差補償コア４１ａ、４１ｂ、４１ｃが配置されてもよい。任意の段差補償コア４１ａ、４１ｂ、４１ｃは、平板コア４１上に配置されてもよく、他の段差補償コア４１ａ、４１ｂ上に配置されてもよい。
【０１０５】
このように、各コイルの間には、コイル間の高さ差を補償する段差補償コア４１ａ、４１ｂ、４１ｃが備えられることで、各コイルは、その位置に関係なく同等の水準のインダクタンスを有してもよい。
【０１０６】
前述した無線充電モジュール４０は、電磁誘導現象を利用して使用者端末２に電力を供給することができる。このため、図９に示したように、本発明の無線充電装置１は、無線充電モジュール４０を制御する制御部６０をさらに含んでいてもよい。より具体的には、制御部６０は、無線充電モジュール４０内の各送信コイルを制御することで、使用者端末２に電力を供給することができる。
【０１０７】
以下では、制御部６０の制御による無線充電動作を説明するために、本発明の無線充電モジュール４０が図８に示した９コイルに基づく構造を有すると仮定する。
【０１０８】
無線充電装置１は、任意の外部電源と連結され、制御部６０は、外部電源を用いて無線充電モジュール４０内の送信コイルに電流を印加することができる。
【０１０９】
単一の使用者端末２は、無線充電モジュール４０内の複数の送信コイルのいずれか送信コイルから電力を供給されてもよい。より具体的には、単一の使用者端末２は、いずれか平板コア４１上に配置された複数のコイルのうちいずれか送信コイルから電力を供給されてもよい。
【０１１０】
図１０を参照すれば、無線充電モジュール４０内の複数の送信コイルは、平板コア４１の位置に応じてグルーピング（ｇｒｏｕｐｉｎｇ）されてもよい。より具体的には、Ａ送信コイルグループは、左側平板コア（４１−Ｌ）の位置に対応するＡ１〜Ａ５送信コイルを含んでいてもよく、Ｂ送信コイルグループは、右側平板コア（４１−Ｒ）の位置に対応するＢ１〜Ｂ４送信コイルを含んでいてもよい。
【０１１１】
使用者端末２は、各平板コア４１上に配置された複数の送信コイルのうち、使用者端末２内の受信コイルと最も近いいずれか送信コイルから電力を供給されてもよい。
【０１１２】
このため、無線充電モジュール４０は、使用者端末２内の受信コイルの位置を感知することができる。より具体的には、制御部６０は、無線充電モジュール４０内の複数の送信コイルに互いに重畳しない時間の間、電流を順次に印加することで要請信号を送信することができる。受信コイルを介して要請信号を受信した使用者端末２は、受信コイルを介して応答信号を送信することができる。これにより、応答信号は、送信コイルに電流を順次に印加することで順次に受信されてもよい。
【０１１３】
制御部６０は、応答信号が受信される度に、応答信号の強さを感知することができる。言い換えれば、制御部６０は、各送信コイルを介して要請信号を送信する度に、ここに対応する応答信号の強さを感知することができる。制御部６０は、最も大きい強さの応答信号が受信される際、電流が印加された送信コイルを識別することができ、識別された送信コイルを使用者端末２内の受信コイルと最も近い送信コイルと判断することができる。
【０１１４】
図１０を例に挙げて説明すれば、制御部６０は、無線充電モジュール４０内のＡ１〜Ａ５送信コイルに電流を順次に印加することができ、引き続きＢ１〜Ｂ４送信コイルに電流を順次に印加することができる。
【０１１５】
例えば、第１の使用者端末２ａが左側平板コア（４１−Ｌ）上に位置した場合、Ａ４送信コイルに電流が印加される際に受信された応答信号の強さが最も強い。これに基づいて制御部６０は、第１の使用者端末２ａがＡ４送信コイルと最も近いと判断することができる。
【０１１６】
これにより、制御部６０は、Ａ４送信コイルを、電力を供給する送信コイルと決定することができ、Ａ４送信コイルに電流を印加することで、第１の用者端末２ａを無線充電することができる。
【０１１７】
また、例えば、第２の使用者端末２ｂが右側平板コア（４１−Ｒ）上に位置した場合、Ｂ２送信コイルに電流が印加される際に受信された応答信号の強さが最も強い。これに基づいて制御部６０は、第２の使用者端末２ｂがＢ２送信コイルと最も近いと判断することができる。
【０１１８】
これにより、制御部６０は、Ｂ２送信コイルを、電力を供給する送信コイルと決定することができ、Ｂ２送信コイルに電流を印加することで、第２の使用者端末２ｂを無線充電することができる。
【０１１９】
前述したように、無線充電モジュールが分離されたコア上に重畳して配置された複数の送信コイルを含むことで、電磁誘導現象を利用した無線電力伝送を広い範囲にかけて行うことができる。
【０１２０】
すなわち、使用者が使用者端末２を端末据え置き部３０上の正確な位置に据え置かないとしても、端末据え置き部３０内の無線充電モジュール４０は、重畳した多重送信コイルのいずれかを介して使用者端末２に電力を供給することができるため、重畳した多重送信コイルが形成する広い範囲で無線充電動作を行うことができる。
【０１２１】
また、本発明は、複数の使用者端末２に対する同時充電動作を行うことにより、端末充電の迅速性が向上する長所がある。
【０１２２】
一方、図９に示したように、制御部６０は、ディスプレイモジュール５０を制御することもできる。
【０１２３】
図１１を参照すれば、前述した無線充電装置１は、乗り物の内部に搭載することができる。このとき、無線充電装置１は、乗り物内のＨＭＩ（Ｈｕｍａｎ Ｍａｃｈｉｎｅ  Ｉｎｔｅｒｆａｃｅ）であり、ＡＶＮ（Ａｕｄｉｏ，Ｖｉｄｅｏ，Ｎａｖｉｇａｔｉｏｎ）装置の役割を果たし得る。このため、制御部６０は、ディスプレイモジュール５０がＡＶＮ装置の機能を案内するか、空調設備に設定された温度を表す基本インターフェース（ＵＩ）を出力するように制御することができる。
【０１２４】
また、制御部６０は、無線充電モジュール４０を介して受信された信号に応じてディスプレイモジュール５０を制御することができる。
【０１２５】
より具体的には、使用者端末２は、受信コイルを介して無線充電モジュール４０に信号を送信することができる。制御部６０は、メモリ７０を参照して、無線充電モジュール４０に受信された信号に対応するインターフェース（ＵＩ）を識別して、ディスプレイモジュール５０が該インターフェース（ＵＩ）を出力するように制御することができる。
【０１２６】
一例において、制御部６０は、無線充電モジュール４０を介して要請信号を送信し、要請信号に対する応答として、使用者端末２から応答信号が受信されると、応答信号に応じて、ディスプレイモジュール５０が予め設定されたインターフェース（ＵＩ）を出力するように制御することができる。
【０１２７】
制御部６０は、無線充電モジュール４０に含まれる各コイルに流れる電流を制御して、電磁誘導方式で要請信号を送信することができる。これについては、図１０を参照して説明したところ、ここでは詳説を省略する。
【０１２８】
使用者端末２が無線充電モジュール４０に隣接すると、無線充電モジュール４０を介して応答信号が受信されてもよい。
【０１２９】
このとき、図１２に示したように、制御部６０は、無線充電モジュール４０を介して応答信号が受信されると、ディスプレイモジュール５０が信号感知イメージ５１を下端に含むインターフェース（ＵＩ）を出力するように制御することができる。
【０１３０】
他の例において、制御部６０は、無線充電モジュール４０に含まれる複数の送信コイルのうち、使用者端末２と最も近いいずれか送信コイルを識別し、識別された送信コイルの位置に応じて、ディスプレイモジュール５０が予め設定されたインターフェース（ＵＩ）を出力するように制御することができる。
【０１３１】
制御部６０は、無線充電モジュール４０に含まれる複数の送信コイルを介して要請信号を送信し、受信された応答信号の強さに応じて、使用者端末２と最も近いいずれか送信コイルを識別することができる。識別方法については前述したところ、ここでは詳説を省略する。
【０１３２】
例えば、図１０を参照すれば、制御部６０は、使用者端末２と最も近い送信コイルをＡ４送信コイルと識別することができる。Ａ４送信コイルは、左側平板コア（４１−Ｌ）上に位置するため、制御部６０は、図１３に示したように、ディスプレイモジュール５０が信号感知イメージ５１を左側下端に出力するように制御することができる。
【０１３３】
さらに他の例において、制御部６０は、応答信号に含まれた使用者情報及びデバイス情報のうちいずれかによってディスプレイモジュール５０が予め設定されたインターフェース（ＵＩ）を出力するように制御することができる。
【０１３４】
前述した応答信号には、使用者情報及びデバイス情報が含まれてもよい。使用者情報は、使用者端末２の使用者が誰であるかを示す情報であり、デバイス情報は、使用者端末２の種類が何であるかを示す情報であってもよい。
【０１３５】
制御部６０は、応答信号に含まれた使用者情報及びデバイス情報を識別することができ、メモリ７０を参照して、識別された情報に対応するインターフェース（ＵＩ）を識別することができ、ディスプレイモジュール５０が該インターフェース（ＵＩ）を出力するように制御することができる。
【０１３６】
さらに図１３を参照すれば、制御部６０は、応答信号から使用者情報を識別することができ、メモリ７０を参照して、該使用者情報に対応する写真イメージ５２とテキストイメージ５３を識別することができる。次いで、制御部６０は、ディスプレイモジュール５０が識別された写真イメージ５２とテキストイメージ５３を含むインターフェース（ＵＩ）を出力するように制御することができる。
【０１３７】
図１４を参照すれば、制御部６０は、応答信号から使用者情報及びデバイス情報を識別することができ、メモリ７０を参照して、該使用者情報に対応するテキストとデバイス情報に対応するテキストが結合したテキストイメージ５５を識別することができる。次いで、制御部６０は、ディスプレイモジュール５０が識別されたテキストイメージ５５を含むインターフェース（ＵＩ）を出力するように制御することができる。
【０１３８】
一方、図１４に示したように、制御部６０は、ディスプレイモジュール５０が、前述した信号感知イメージ５１が出力される位置上に、使用者情報及びデバイス情報のうちいずれかに対応するインターフェース（ＵＩ）（例えば、テキストイメージ５５）を出力するように制御することができる。
【０１３９】
上述したように、本発明は、使用者端末２から受信された信号に対応するインターフェース（ＵＩ）を出力することにより、無線充電動作に対するＵＸ（Ｕｓｅｒ Ｅｘｐｅｒｉｅｎｃｅ）が改善する長所がある。
【０１４０】
前述した本発明は、本発明が属する技術分野における通常の知識を有する者にとって本発明の技術的思想を脱しない範囲内で様々な置換、変形及び変更が可能であるため、前述した実施形態及び添付の図面によって限定されるものではない。
【図１】
0006931407.tif 000002
【図２】
0006931407.tif 000003
【図３】
0006931407.tif 000004
【図４】
0006931407.tif 000005
【図５】
0006931407.tif 000006
【図６】
0006931407.tif 000007
【図７】
0006931407.tif 000008
【図８】
0006931407.tif 000009
【図９】
0006931407.tif 000010
【図１０】
0006931407.tif 000011
【図１１】
0006931407.tif 000012
【図１２】
0006931407.tif 000013
【図１３】
0006931407.tif 000014
【図１４】
0006931407.tif 000015